(57)【要約】本発明は、特殊な特性、特に磁気特性をもち、支持体上に配置又は支持体内に挿入される糸又は繊維を用いて予定の線、位置又は領域に従って、コード化マーキングの製造及び使用システムにある。コマンド（５）を受ける第１のデータベース（２）は、暗号化でコードを形成し、記憶し、伝送するのに用いられる。この第１のデータベース（２）は、製造した量又は長さに関して、少なくとも一つの糸又は繊維製造機械（７）を制御する。第１のデータベース（２）に接続された別のデータベース（３）は、各製造に関するデータを受け、また第１のデータベース（２）で伝送されたコードに従って糸又は繊維を支持体上に配置又は支持体内に挿入し、配置又は挿入した糸又は繊維の特に量を制御する少なくとも一つの機械（９）を制御し、さらに別のデータベース（３）は、コードを確認しかつアクティビィティレポートを戻すように設計される複数の読取装置（１０）に接続される。
2006509309.tif 000002
【特許請求の範囲】
【請求項１】
特殊な特性、特に磁気特性をもち、支持体上に配置又は支持体内に挿入される糸又は繊維を用いて予定の線、位置又は領域に従って、識別、確認又はトレーサビリテイコード化マーキングの製造、制御及び使用システムにおいて、
コマンド（５）を受けることによってトリガーされる暗号化（６における）でコードを形成し、記憶し、伝送し、また特に製造した量又は長さに関して、上記糸又は繊維を製造する少なくとも一つの機械（７）を制御する第１のデータベース（２）と；
第１のデータベース（２）に接続され、糸又は繊維を支持体上に配置又は支持体内に挿入し特に配置又は挿入した糸又は繊維を制御する少なくとも一つの機械（９）を制御する専用データベース（３）を有する
ことを特徴とするシステム。
【請求項２】
コードが第１のデータベース（２）によってランダムに発生されることを特徴とする請求項１に記載のシステム。
【請求項３】
二つのデータベース（２、３）が保護リンク（４）によって相互に接続されることを特徴とする請求項１又は２に記載のシステム。
【請求項４】
コードが、第１のデータベース（２）から専用データベース（３）へ連続して伝送されることを特徴とする請求項１〜３のいずれか一項に記載のシステム。
【請求項５】
コードが、第１のデータベース（２）から専用データベース（３）へ周期的に伝送されることを特徴とする請求項１〜３のいずれか一項に記載のシステム。
【請求項６】
専用データベース（３）が、利用者に関連した複数の読取装置（１０）に接続され、各読取装置（１０）が、対応した利用者に特定したコードのみを受け、そして上記専用データベース（３）にアクティビィティレポートを戻すように設計されていることを特徴とする請求項１〜５のいずれか一項に記載のシステム。
【請求項７】
製造した糸又は繊維に伴うように設計され、特に暗号化形態でのコードによって割り当てコーディングに対応した糸又は繊維の配置を画定する配置又は挿入順序形態を伝送することを特徴とする請求項１〜６のいずれか一項に記載のシステム。
【発明の詳細な説明】
【技術分野】
【０００１】
本発明は、一般的には、コード化マーキングによる種々雑多な品物、製品又は物体の識別、確認又はトレーサビリティの分野に関する。特に、本発明は、磁気的にコード化したラベルとして設計され、適切な検出器を用いてのみ“読取る”ことができ、裸眼では見ることができずしかも触れても感知できない保護マーキングに関する。さらに、特に本発明は、特殊な磁気特性をもち、支持体上に配置又は支持体内に挿入される糸又は繊維を用いた識別、確認又はトレーサビリテイコード化マーキングを含み、本発明は特に、コード化マスキングの製造、制御及び使用を目的としている。
【背景技術】
【０００２】
特許文献１には、予定のテンプレートに従って一定の間隔で分離された予定の平行位置に関連した支持体上又は支持体内に、超軟らかい強磁性特性をもつ一本以上の糸を有する磁性マーキングシステムが開示されており、これらの平行糸は、糸の有無の組合せによって適当な読取装置を用いて検出できる２進コードを形成するように上記各位置に有ったり無かったりしている。
【０００３】
支持体は、この場合、超軟らかい強磁性特性をもつ複数の糸をそれらの予定の位置に固定する接着材のシートで形成でき、接着性の支持シートは、これらの糸を覆うシリコンで処理した紙型の保護シートでカバーされ得る。特許文献１にはまた、適切に構成した磁マーキングの方法及び機械が記載されている。
【０００４】
また特許文献１に記載の発明で提供される変形例では、強磁性特性をもつ糸は成形又は形成材料内に埋め込まれ、或いはこれらの糸は織物支持体内に含まれるが、エンコーディングの原理は同じである。
【０００５】
その他の同様なマーキングシステムは特殊な磁性特性をもつ領域を使用でき、これらはまたコードを形成する（特許文献２参照）。
【０００６】
特に、特許文献２は、市場の品物又は製品に付けるマーキングに関し、これらのマーキングは、従来の“バーコード”の仕方で、上記品物又は製品を、それらの製造業者又は供給業者と共に識別するのに要求される。これらのコードを割り当てる及び製造する問題、すなわちコード化マーキングの製造の問題は、以下に示す要求事項が考慮されることになる場合には、決して単純ではない。
・コードの機密性及び保護
・システムマネージャー、マーキング構成要素の製造業者、“コンバーター（織物加工業者）”と呼ばれるマーキング自体の製作者、品物又は製品にマーキングを付ける最終利用者を含む当事者の多様性
・コードを定義し、割り当て、すなわち同じコードを二つ作らないように期限切れの品物又は製品のコードを削除するのに特別な要求事項
・マーキング生産プロセス、特に強磁性特性をもつ糸又は繊維の配置用機械が各適用コードに従って正しくそれらの支持体に糸を位置決めするようにそれら機械の制御の所望の自動化
【０００７】
従って、供給及びそれを越えてすべての要求又はそり他のパラメーターを考慮して上記のコード化したマーキングの製造を制御する本質的な状態を包囲して顧客のオーダーからこの形式のエンコードしたマーキングに対して実際の“管理”要求が存在する。
【０００８】
特許文献２は、複数のコードを製品（もしもの場合には確認をチェックされることになる文書）上で読取れるコードと比較できるようにそれらのコードを記憶する明白な要求を単に再び主張しているだけである。
【０００９】
先行技術のその他の文献にも単に極めて部分的な解決法が開示されているか、或いはそれらの応用が極めて制限されている。
【００１０】
特許文献３には、スキー窃盗防止識別方法について開示されており、人が要求された時にのみすなわち紛失又は盗難の場合に情報が入れられるデータベースを提供する。データベースの更新は自動ではない。
【００１１】
特許文献４には、同一中央記憶装置にすべて接続される複数の読取装置によって、多数の地点で及び製造又は使用の種々の段階で“読取り”できる光学的にコード化した織物ラベルについて開示されている。これらの読取装置はそれら自体メモリーを備えてなく、従って情報を収容してなく、すべての処理は単一中央データベースにおいてなされる。さらに、特許文献４は、各オーダー（品物の数など）の特殊な特徴の認定による、コードの発生及び割当について開示していない。
【００１２】
【特許文献１】フランス国特許出願第０２，０４６０７号、出願日２００２年４月１２日、出願公開第２８３８５４３号
【特許文献２】フランス国特許第２７６５０１４号
【特許文献３】フランス国特許第２７７８９８７号
【特許文献４】欧州特許ＥＰ０９１９６５０Ａ１
【発明の開示】
【発明が解決しようとする課題】
【００１３】
上記の問題を解決するために、本発明の主目的は、特殊な特性、特に磁気特性をもち、支持体上に配置又は支持体内に挿入される糸又は繊維を用いて予定の線、位置又は領域に従って、識別、確認又はトレーサビリテイコード化マーキングの製造、制御及び使用の制御システムを提供することにあり、本システムは、
コマンドを受けることによってトリガーされる暗号化でコードを形成し、記憶し、伝送し、また特に製造した量又は長さに関して、上記糸又は繊維を製造する少なくとも一つの機械を制御する第１のデータベースと；
第１のデータベースに接続され、糸又は繊維を支持体上に配置又は支持体内に挿入し特に配置又は挿入した糸又は繊維を制御する少なくとも一つの機械を制御する専用データベースと；
を有する。
【００１４】
従って、本発明は、コードの形成、各オーダーに関する糸又は繊維の製造、及び各オーダーに対応するコードに従う “ラベル”にこれらの糸又は繊維の結合を処理又は制御する完全なシステムを提供する。このシステムは、特に、製造品物の明確なバッチに関する各オーダーについて、対応したラベルを製作するのに正確に必要な糸又は繊維の量の生産及び供給を制御する。本システムはまた、これらレベルの生産、すなわち以下に特定するように糸又は繊維の配置又は挿入の“実時間”における直接制御を処理する。本発明の別の基本的特徴によれば、本システムは主として、マーキング糸又は繊維の空間的配置から結果として生じる２進コードを直接表さない暗号化した形態のコードを使用する。
【００１５】
本システムの一つの実施形態によれば、マーキングのコードは第１のデータベースによってランダムに発生される。
【００１６】
好ましくは、二つのデータベースは、保護リンクによって相互に接続される。
【００１７】
コードは、第１のデータベースから専用データベースへ連続して又は周期的に伝送される。
【００１８】
有利には、専用データベースは、利用者に関連した複数の読取装置に接続され、各読取装置は、対応した利用者に特定したコードのみを受け、そして上記専用データベースにアクティビィティレポートを戻すように設計されている。
【００１９】
本発明の目的であるシステムはまた、製造した糸又は繊維に伴うように設計され、糸又は繊維の配置又は挿入機械に対して特に暗号化形態でのコードによって割り当てコーディングに対応した糸又は繊維の配置を画定する配置又は挿入順序形態を伝送するように設計される。この機械は、形成した２進コードに従って配置又は挿入を行うように、順序形態の暗号化したコードを復号する。
【００２０】
以下、添付の概略図面を参照しての説明から本発明はより良く理解されよう。
【発明を実施するための最良の形態】
【００２１】
本システムは、特に、それぞれ２、３で示す二つのデータベースの組合せによって特徴付けられ、これら二つのデータベース２、３は保護リンク４によって相互に接続される。
【００２２】
第１のデータベース２は、システムマネージャーによってのみアクセスでき、システムマネージャーは符号５で示す顧客からのオーダーを第１のデータベースに入れる。データベース２は、暗号化モジュール６に関連して、ランダムに発生したコードを形成し、記憶し、伝送するこのデータベースはまた、糸又は繊維の製造機械７に接続され、コード化したマーキング構成要素は、機械７で製造した糸又は繊維の量又は長さを制御する。
【００２３】
データベース２は、保護リンク４を介して連続して又は周期的に例えば一日一回他のデータベース３にコードを伝送する。この他のデータベース３は、符号８で示す任意の顧客にアクセスできる。
【００２４】
専用データベース３は、支持体内に又は支持体上に糸又は繊維を配置又は挿入する機械９、従って関連する形式のマーキングを製造する機械に接続される。特に、データベース３は、機械９によって配置又は挿入された糸又は繊維の量をモニタする。
【００２５】
このデータベース３はまた、種々の利用者に関連した読取装置１０に接続されている。各読取装置１０は相応した利用者に特定のコードのみを受ける。
【００２６】
実際に、システムの動作は次の次とおりである。
顧客は、一定の数の指示、すなわち顧客名、マーキングすべき製品又は品物の名称、製品又は品物（従って要求されたマーキング）の量、マーキングを構成する又は受ける“ラベル”自体のフォーマット、製品又は品物のバッチの識別、製造日などを含むオーダー５を送る。オーダー５が許されると、オーダー５はデータベース２に入れられ、確認される。
【００２７】
データベース２は、“視覚的に”認められ得るように、マーキング糸の実際の配置に対応する２進コードである、オーダー５に割り当てたコードを自動的に形成する。この２進コードは、多少ランダムに発生され、すなわち、  完全に任意ではなく、ある一定のパラメーター、特に“ラベル”のフォーマットに関連する。当然、このコード発生プロセス中に、既に前に形成した又は割り当てたコードは除外される。
【００２８】
暗号化モジュール６を用いて、データベース２は、前に形成した２進コードから、暗号化コードを形成し、この暗号化コードはデータベース２によって記憶され、伝送される。各２進コードは、相応した単一暗号化コードをもち、また逆に、符号化コードは、マーキングの糸の配置に“視覚的に”相応しないコードである。
【００２９】
この段階において、正式に形成した２進コードがシステム内に留まっていることを確認することは重要であり、すなわち、この２進コードは表示されてはならず、いかなる者にも知られていない理論である。
【００３０】
従ってこのオーダー５の特性に従う関連したオーダー５に割り当てられたコード及び相応したコード（多少の数の糸をもつ）を含むデータベース２は、必要な糸の長さ、又は関連したオーダーのマーキングのすべてを製作するのに必要な繊維の等価量を計算する。この計算した長さ又は量は糸のリールの全体数（各リールは前もって既知の予定の長さの糸に対応している）の形態で表すことができる。
【００３１】
この情報から、データベース２は機械７で糸又は繊維の製造を開始し、こうして機械７は要求された長さ又は量を製造する。逆に、機械７は、要求され量において（特に多数のリールとして表される）、糸又は繊維が製造された事実においてデータベース２に報告する。
【００３２】
同時に、データベース２は、保護リンク４を介して他のデータベース３に、糸又は繊維が目下製造されていることに従う情報、従って糸が全て製造され出荷される時別の情報を伝送する。
【００３３】
これらの糸又は繊維はそれら自体、一度製造されると、“コンバーター（織物加工業者）”、すなわち支持体内に又は支持体上に糸又は繊維を配置又は挿入する機械９を備えた店舗又は作業場に送られる。正式に出荷された糸又は繊維は、システムで発行され、関連したオーダーに割り当てられたコードを形成するように糸又は繊維を配置又は挿入しなければならない処置の仕方を定義する配置又は挿入順序形態を構成する供給通知事項が添付される。この順序形態は、前もって形成した暗号化形態の相応したコードを含んでいる。
【００３４】
この配置又は挿入機械９は、この順序形態に含まれたコード定義によって糸又は繊維の配置又は挿入を実施するために、供給通知事項における情報を“読取る”ことができるインターフェースを備えている。特に、このインターフェースは順序形態に含まれたコードを復号し、糸の処置の仕方に直接相応する２進コードを復元する。この機械９は例えば、テープ形態の接着性支持体上に多数の平行糸を同時に配置することによって連続して動作し、糸の横方向位置決めは、マーキングに適用したコードに対応させて行われる。そして結果としての連続したテープは幾つかの部分に切断され、結合した糸をもつ個々の“ラベル”が得られる。
【００３５】
配置又は挿入機械９は、データベース３に、暗号化形態のコードの定義及び配置動作中に検出した全ての動作エラーを記載できるアクティビティレポートの形態の製造長さ又は量を戻す。データベース３が顧客８によって紹介され得る同じ程度に、顧客８は何時でも自分のオーダーの進行をチャックできる。
【００３６】
一度製造されると、コード化“ラベル”はそれら自体、受取人に出荷され、受取人はそれらのラベルを関連した製品又は品物に配置又は固定する。
【００３７】
専用データベース３を簡単に調べることにより、顧客８は、変更、例えば期限切れの製品に相応した特定のコードの“操作不可”を遠隔的に要求できる。
【００３８】
さらに、一つ以上の顧客８と関連した読取装置１０は、データベース３から暗号化形態で受けた各顧客に特定のコードが通知され、各読取装置１０は番号で識別される。各読取装置１０に含まれたコードは定期的に更新される。逆に、各読取装置１０はデータベース３に、例えば一日一回、マーキングした製品又は品物のトレーサビリティを保証するアクティビティ報告を戻す。各読取装置１０内部において、“読取”コードと記憶コードとの比較は暗号化形態において行われることが認められ、マーキングにおいて検出された２進コードはまず、第１のデータベース２で用いられたものと同一の暗号化モジュールを用いて、暗号化コードに変換される。
【００３９】
システムの種々の要素間のリンクはインターネットネットワークによって行うことができ、二つのデータベース２、３の間の特定のリンク４は、この場合、保証インターネットリンクである。
【００４０】
このようにして、糸又は繊維、すなわち製造した磁気マーキングの構成要素の使用は、全体としてシステムで制御され、特に、過剰の又は不正な使用を防止するために、コードに割り当てられた糸又は繊維の過剰な長さ又は量を避ける。
【００４１】
本システムはまた、容易に適応できしかも拡張可能であり、各バッチ又はシリーズの製品又は品物に異なるコード、すなわち糸又は繊維の番号及び（又は）明確な位置決めに対応したコードを割り当てることができる。さらに、付加的なコードの割り当てをもくろんで、総体トレースアビリティについてバッチ又はシリーズ内の各製品又は品物を個々に識別できるようにすることができる。
【００４２】
・   糸又は繊維の性質、或いはそれらの特性の詳細；
・   糸又は繊維製造機械の数及び特徴、並びに本システムで制御される糸又は繊維配置又は挿入機械の数及び特徴；
・   本システムの要素間で交換される情報の詳細；
・   本システムの要素間のリンクの性質
に関係なしに、特許請求の範囲に記載したように、本発明の精神から逸脱しない。
【図面の簡単な説明】
【００４３】
【図１】本発明の目的であるマーキングの製造、制御及び使用用のシステムをブロック線図形態で示す。
2006509309.tif 000003
【国際調査報告】
2006509309.tif 000004
2006509309.tif 000005
2006509309.tif 000006
2006509309.tif 000007